(57)【要約】  【課題】小型化を可能とする現像剤カートリッジを搭載する画像形成装置、及び現像剤カートリッジを提供することである。  【解決手段】上記課題を達成するために、本発明の実施形態における画像形成装置は、トナーを収容するトナー収容部を有するトナーカートリッジと、現像剤を収容する現像剤収容部を有する現像剤カートリッジを入れ替える画像形成装置において、前記現像剤収容部に収容される前記現像剤を搬送する搬送部および、前記搬送部に動力を伝達し、長さ調整を可能とする動力伝達部と、を有する現像剤カートリッジと、前記現像剤カートリッジの前記動力伝達部を駆動する駆動部と、前記搬送部により搬送される前記現像剤を収容する現像器と、前記駆動部の駆動を制御する制御部と、を備える。【選択図】図２
2012220948.tif 000002
【特許請求の範囲】
【請求項１】
トナーを収容するトナー収容部を有するトナーカートリッジと、現像剤を収容する現像剤収容部を有する現像剤カートリッジを入れ替える画像形成装置において、
前記現像剤収容部に収容される前記現像剤を搬送する搬送部および、前記搬送部に動力を伝達し、長さ調整を可能とする動力伝達部と、
を有する現像剤カートリッジと、
前記現像剤カートリッジの前記動力伝達部を駆動する駆動部と、
前記搬送部により搬送される前記現像剤を収容する現像器と、
前記駆動部の駆動を制御する制御部と、
を備えることを特徴とする画像形成装置。
【請求項２】
前記トナーカートリッジの長手方向の全体の長さと、前記現像剤の搬送時の前記現像剤カートリッジの長手方向の全体の長さは略同じであることを特徴とする請求項１記載の画像形成装置。
【請求項３】
前記トナー収容部の長手方向の長さと比較し、前記現像剤収容部の長手方向の長さは短いことを特徴とする請求項２記載の画像形成装置。
【請求項４】
前記トナー収容部は第１の体積を有し、前記現像剤収容部は、前記第１の体積よりも小さい第２の体積を有することを特徴とする請求項１記載の画像形成装置。
【請求項５】
前記動力伝達部は分割により、長さ調整することを特徴とする請求項１記載の画像形成装置。
【請求項６】
前記動力伝達部は折り畳みにより、長さ調整することを特徴とする請求項１記載の画像形成装置。
【請求項７】
前記動力伝達部は伸縮により、長さ調整することを特徴とする請求項１記載の画像形成装置。
【請求項８】
現像剤を収容する現像剤収容部と、
前記現像剤収容部に収容される前記現像剤を搬送する搬送部と、
前記搬送部に動力を伝達し、分割、または折り畳み、または伸縮により長さ調整を可能とする動力伝達部と、
を備えることを特徴とする現像剤カートリッジ。
【請求項９】
トナーを収容する、長手方向に所定の長さからなるトナー収容部を有するトナーカートリッジと、現像剤を収容する現像剤収容部および駆動力を伝達する動力伝達部を有する現像剤カートリッジを入れ替える画像形成装置の現像剤カートリッジの長さ調整方法において、
分割、または折り畳み、または伸縮により長さ調整可能とする動力伝達部を、前記現像剤カートリッジの動力伝達部として用い、
前記現像剤カートリッジの収容部の長手方向の長さを、前記長さ調整された動力伝達部に基づいて、調整することを特徴とする現像剤カートリッジの長さ調整方法。
【請求項１０】
前記トナーカートリッジの長手方向の全体の長さと、前記現像剤の搬送時の前記現像剤カートリッジの長手方向の全体の長さは略同じであることを特徴とする請求項９記載の現像剤カートリッジの長さ調整方法。
【請求項１１】
前記トナー収容部の長手方向の長さと比較し、前記現像剤収容部の長手方向の長さは短いことを特徴とする請求項１０記載の現像剤カートリッジの長さ調整方法。
【請求項１２】
前記トナー収容部は第１の体積であり、前記第１の体積よりも小さい第２の体積である前記現像剤収容部を有することを特徴とする請求項９記載の現像剤カートリッジの長さ調整方法。
【発明の詳細な説明】
【技術分野】
【０００１】
実施態様は、画像形成装置、現像剤カートリッジ、及び現像剤カートリッジの長さ調整方法に関する。
【背景技術】
【０００２】
出荷時、初期設定時及びメンテナンス時等、サービスマンがトナーとキャリアからなる二成分現像剤を現像剤カートリッジから現像装置へ充填する画像形成装置が知られている。現像剤カートリッジから、二成分現像剤を現像装置へ充填した後、現像剤カートリッジをトナーカートリッジに入れ替え、トナーカートリッジからトナーを現像装置へ充填する。従来の現像剤カートリッジは、トナーカートリッジと同形状の容器である。しかしながら、現像剤カートリッジの二成分現像剤の量は、トナーカートリッジに含まれるトナーの量に比べ少なく、同形状の容器を使用すると、必要以上の大きさの容器となってしまうという問題が生じる。
【先行技術文献】
【特許文献】
【０００３】
【特許文献１】特開２０１１−１５４１８０公報
【発明の概要】
【発明が解決しようとする課題】
【０００４】
本発明の実施形態が解決しようとする課題は、小型化を可能とする現像剤カートリッジを搭載する画像形成装置、現像剤カートリッジ、及び現像剤カートリッジの長さ調整方法を提供することである。
【課題を解決するための手段】
【０００５】
上記課題を達成するために、本発明の実施形態における画像形成装置は、トナーを収容するトナー収容部を有するトナーカートリッジと、現像剤を収容する現像剤収容部を有する現像剤カートリッジを入れ替える画像形成装置において、前記現像剤収容部に収容される前記現像剤を搬送する搬送部および、前記搬送部に動力を伝達し、長さ調整を可能とする動力伝達部と、を有する現像剤カートリッジと、前記現像剤カートリッジの前記動力伝達部を駆動する駆動部と、前記搬送部により搬送される前記現像剤を収容する現像器と、前記駆動部の駆動を制御する制御部と、を備える。
【図面の簡単な説明】
【０００６】
【図１】第一の実施形態における画像形成装置を示す構成図である。
【図２】第一の実施形態における現像剤カートリッジの動力伝達部を示す斜視図である。
【図３】第一の実施形態におけるトナーカートリッジの動力伝達部を示す斜視図である。
【図４】第一の実施形態における現像剤カートリッジ及びトナーカートリッジを示す斜視図である。
【図５】第一の実施形態における現像剤カートリッジの分割された動力伝達部を示す図である。
【図６】第二の実施形態における現像剤カートリッジの折り曲げ可能な動力伝達部を示す図である。
【図７】第二の実施形態における現像剤カートリッジの折り曲げられた動力伝達部を示す図である。
【図８】第三の実施形態における現像剤カートリッジの伸縮可能な動力伝達部の伸ばした状態を示す図である。
【図９】第三の実施形態における現像剤カートリッジの伸縮可能な動力伝達部の縮めた状態を示す図である。
【発明を実施するための形態】
【０００７】
以下に添付図面を参照して、画像形成装置の実施の形態を説明する。
【０００８】
（第一の実施形態）
第一の実施形態の現像剤カートリッジは、分割可能な動力伝達部を有する。動力伝達部は、分割可能であるため、現像剤カートリッジの長さを調整することができる。
【０００９】
図１は、第一の実施形態の画像形成装置１００の構成図である。画像形成装置１００は、スキャナ部１０１、画像形成部１０２、給紙カセット（給紙部）１０３、排紙部１０４、及び制御部１０を備える。スキャナ部１０１は、原稿面を光学的に走査することにより原稿上の画像を画像データとして読取る。給紙カセット１０３は、印刷媒体Ｐを収容する。排紙部１０４は、画像形成され、排出された印刷媒体Ｐを収容する。スキャナ部１０１は、印刷原稿の入力部の一例であり、この他に、例えば、外部端末としてＰＣ（Ｐｅｒｓｏｎａｌ Ｃｏｍｐｕｔｅｒ）で作成した原稿をこの入力部で受け入れ、画像データとして印刷することも可能である。
【００１０】
画像形成部１０２は、画像データに基づく画像を印刷媒体Ｐに形成する。画像形成部１０２は、中間転写ベルト１１０の下側に沿って並列に配置されるイエロ（Ｙ）、マゼンタ（Ｍ）、シアン（Ｃ）、ブラック（Ｋ）の４組の画像形成ステーション１０５Ｙ、１０５Ｍ、１０５Ｃ、及び１０５Ｋを備える画像形成ユニットを有する。ここでは、カラーの画像形成装置で説明しているが、モノクロの画像形成装置であっても良い。
【００１１】
各画像形成ステーション１０５Ｙ、１０５Ｍ、１０５Ｃ、及び１０５Ｋは同様の構成である。従って、イエロ用の画像形成ステーション１０５Ｙについてその構成及び動作を説明し、他の画像形成ステーションには、対応する符号を付し、その説明は省略する。
【００１２】
画像形成ステーション１０５Ｙは、現像剤カートリッジ３００Ｙ、現像器１０８Ｙ、及び感光体ドラム１０９Ｙを有する。現像剤カートリッジ３００Ｙは、キャリア及びトナーの二成分現像剤（以下、現像剤とする）を収容する容器であり、着脱可能である。現像装置１０８Ｙは、イエロ（Ｙ）のトナー及びキャリアから成る二成分現像剤を有し、着脱可能である。現像装置１０８Ｙは、感光体ドラム１０９Ｙ上の静電潜像にイエロのトナーを供給する。
【００１３】
中間転写ベルト１１０は、夫々の感光体ドラム１０９に対向し接触する。中間転写ベルト１１０の感光体ドラム１０９に対向する位置には、トナー像を中間転写ベルト１１０に１次転写するための、１次転写ローラ１１１が設けられる。各１次転写ローラ１１１により、各感光体ドラムに形成された各色のトナー像が、中間転写ベルト１１０の移動に伴って中間転写ベルト１１０に順次転写される。中間転写ベルト１１０の２次転写部には、２次転写ローラ１１２が配置される。
【００１４】
制御部１０は、画像形成装置１００の全体の動作を制御する。制御部１０は、周知のＣＰＵ、ＲＯＭ（Read Only Memory）、及びＲＡＭ（Random Access Memory）等から構成されている。制御部１０は、モータ２０５の駆動を制御する。
【００１５】
制御部１０は、印刷媒体Ｐを中間転写ベルト１１０と２次転写ローラ１１２間に挟持し、搬送するよう制御する。この中間転写ベルト１１０と２次転写ローラ１１２により挟持した印刷媒体Ｐの搬送時、転写電圧が中間転写ベルト１１０と２次転写ローラ間に加えられ、中間転写ベルト１１０上のトナー像を印刷媒体Ｐに２次転写する。印刷媒体Ｐの搬送方向に沿って、２次転写ローラ１１２の下流に、定着装置１１３が位置する。制御部１０は、給紙カセット１０３から給紙される印刷媒体Ｐが搬送経路に沿って、２次転写ローラ１１２を経て、定着装置１１３に搬送されるよう制御する。制御部１０は、定着装置１１３で画像を定着後、排紙部１０４に画像を定着した印刷媒体Ｐを排出するよう制御する。
【００１６】
画像形成部１０２は、現像剤カートリッジ３００Ｙ、３００Ｍ、３００Ｃ、３００Ｋ（以下３００とする。）、及び現像器１０８Ｙ、１０８Ｍ、１０８Ｃ、及び１０８Ｋ（以下、１０８とする。）を有する。
【００１７】
図２は、現像剤カートリッジ３００の動力伝達部４０５を示す斜視図である。図２では説明の便宜上、カバーを除く図面で説明する。図２は、イエロのトナーの搬送で説明する。その他のマゼンタ、シアン、ブラックについても、イエロと同様である。現像剤カートリッジ３００は、現像剤収容部４００、現像剤搬送路４０１、及び動力伝達部４０５を有する。現像剤収容部４００は現像剤を収容する。現像剤搬送路４０１は、第１の現像剤供給口４０２、第２の現像剤供給口４０３、オーガ４０４（搬送部）を有する。
【００１８】
第１の現像剤供給口４０２は、現像剤収容部４００の下部及び現像剤搬送路４０１の上部に位置する。第１の現像剤供給口４０２は、供給側第１の供給口であり、現像剤搬送路４０１の上部の第１の現像剤供給口は受け側第１の供給口である。供給側第１の供給口及び受け側第１の供給口は連通しており、受け側第１の供給口の周りには、スポンジが備えられる。このスポンジが現像剤を収容する現像剤収容部４００の供給側第１の供給口及び現像剤搬送路４０１の受け側第１の供給口の間を密閉することで、現像剤の飛散を防止する。これらの供給側第１の供給口及び受け側第１の供給口をまとめて、第１の現像剤供給口４０２とする。連通した第１の現像剤供給口４０２により、現像剤収容部４００から現像剤搬送路４０１に現像剤を供給する。
【００１９】
第２の現像剤供給口４０３は、現像器１０８の上部及び現像剤搬送路４０１の下部にある。現像剤搬送路４０１の下部の第２の現像剤供給口４０３は、供給側第２の供給口であり、現像器１０８の上部の第２の現像剤供給口は受け側第２の供給口である。供給側第２の供給口及び受け側第２の供給口は連通しており、供給側第２の供給口の周りには、スポンジが備えられる。このスポンジが現像剤搬送路４０１の供給側第２の供給口及び現像器１０８の受け側第２の供給口の間を密閉することで、現像剤の飛散を防止する。これらの供給側第２の供給口及び受け側第２の供給口をまとめて、第２の現像剤供給口４０３とする。連通した第２の現像剤供給口４０３により、現像剤搬送路４０１から現像器１０８に現像剤を供給する。
【００２０】
オーガ４０４は、回転軸の外周にスパイラル状の搬送羽根を一体的に形成する。オーガ４０４は、現像剤搬送路４０１の内部に回転自在に配設される。オーガ４０４の一端部には、動力伝達部４０５が接続される。オーガ４０４は、動力伝達部４０５を介して、駆動部であるモータ２０５により所定量だけ回転駆動される。モータ２０５は、画像形成装置１００の所定位置に固定され、オーガ４０４を駆動する。
【００２１】
現像剤収容部４００から第１の供給口４０２を通って、現像剤搬送路４０１に供給される現像剤は、オーガ４０４の回転に伴って、第２の供給口４０３へ進行する。オーガ４０４の回転により、第２の現像剤供給口４０３まで現像剤が搬送されると、略垂直方向へ現像剤が自由落下して、現像器１０８に補給される。動力伝達部４０５については、後述する。
【００２２】
図３は、トナーカートリッジ１０６の動力伝達部２０３を示す斜視図である。図３では説明の便宜上、カバーを除く図面で説明する。第１のトナー供給口２００は、トナーカートリッジ１０６のトナー収容部１２０下部及びトナー搬送路１０７の上部に位置する。第１のトナー供給口２００により、トナー収容部１２０からトナー搬送路１０７にトナーを供給する。
【００２３】
第２のトナー供給口２０１は、現像器１０８の上部及びトナー搬送路１０７の下部にある。第２のトナー供給口２０１により、トナー搬送路１０７から現像器１０８にトナーを供給する。
【００２４】
オーガ２０２は、回転軸の外周にスパイラル状の搬送羽根を一体的に形成する。オーガ２０２は、トナー搬送路１０７の内部に回転自在に配設される。オーガ２０２の一端部には、動力伝達部２０３が位置する。動力伝達部２０３の一端部には動力元であるモータ２０５と接続する接続部２０４が位置する。接続部２０４は例えばギアである。トナーは、トナー収容部１２０から第１の供給口２００を通って、現像剤搬送路１０７に供給され、オーガ２０２の回転に伴って、第２の供給口２０１へ搬送される。トナーは、オーガ２０２の回転により、第２のトナー供給口２０１までトナーが搬送されると、略垂直方向へ現像剤が自由落下して、現像器１０８に補給される。制御部１０は、画像形成により、現像器１０８のトナーの量が閾値以下になると、トナーの補給を行うよう制御する。
【００２５】
図４は、現像剤カートリッジ３００及びトナーカートリッジ１０６を示す斜視図である。現像剤カートリッジ３００の現像剤収容部４００は、トナーカートリッジ１０６のトナー収容部１２０と比較して、長手方向の長さが短い。図４では、現像剤収容部４００の長手方向の長さに対して、トナー収容部１２０の長手方向の長さは約２倍である。トナー収容部１２０の長手方向の長さと比較し、現像剤収容部４００の長手方向の長さは２倍に限らず、他の数値でも良い。例えば１．５倍であっても良い。トナーカートリッジ１０６のトナー収容部１２０の体積（第１の体積）と比較して、現像剤カートリッジ３００の現像剤収容部４００の体積（第２の体積）は小さい。
【００２６】
図５は、現像剤カートリッジ３００の分割された動力伝達部４０５を示す図である。動力伝達部４０５は、第１の動力伝達部５００、第２の動力伝達部５０１、及び接続部５０２を有する。
【００２７】
第１の動力伝達部５００及び第２の動力伝達部５０１は例えば、シャフトである。第１の動力伝達部５００及び第２の動力伝達部５０１は、分割が可能である。第１の動力伝達部５００と第２の動力伝達部５０１は例えばネジで接続が可能である。第１の動力伝達部５００と第２の動力伝達部５０１の接続はネジに限らず、他の方法で接続するようにしても良い。
【００２８】
ユーザあるいは、サービスマンは、現像剤カートリッジ３００による現像器１０８への現像剤の供給時、第１の動力伝達部５００と第２の動力伝達部５０１を接続し、画像形成装置１００に取り付ける。トナーカートリッジ１０６が既に画像形成装置１００に取り付けられている場合は、トナーカートリッジ１０６を抜いてから、画像形成装置１００へ現像剤カートリッジ３００を取り付ける。現像器１０８への現像剤の供給時とは、例えば出荷時、初期設定時及びメンテナンス時等である。保管時や梱包時等、現像剤カートリッジ３００は、動力伝達部４０５を分割した状態で保管される。
【００２９】
接続部５０２は、図２に示すようなギアであっても良いし、図４及び図５に示すようなカップリングであっても良い。接続部５０２は、モータ２０５に接続し、モータ２０５により回転する。ここでは、動力伝達部４０５を第１の動力伝達部５００と第２の動力伝達部５０１の２つを分割する説明をしたが、分割は２つに限らない。例えば、動力伝達部４０５を３つ、４つに分割するようにしても良い。
【００３０】
初期設定時やメンテナンス時の現像剤カートリッジ３００による現像器１０８への現像剤の供給時、トナーカートリッジ１０６と、現像剤カートリッジ３００を入れ替える必要がある。また、出荷時であれば、先に現像剤カートリッジ３００を画像形成装置１００に設置して、現像器１０８に現像剤を供給してから、トナーカートリッジ１０６に取り換える必要がある。
【００３１】
モータ２０５は、画像形成装置１００の所定位置に固定されており、さらに、現像器１０８へのトナーあるいは現像剤の供給位置も固定されている。よって、トナー収容部１２０に比べ長手方向の長さが短い現像剤収納部４００の動力伝達部４０５の長さは、動力伝達部４０５の接続部５０２がモータ２０５に接続可能な長さである必要がある。そのため、トナーカートリッジの１０６の長手方向の全体の長さと、第１の動力伝達部５００と第２の動力伝達部を接続する際の現像剤カートリッジ３００の長手方向の全体の長さは略同一である。トナーカートリッジの１０６の長手方向の全体の長さとは、トナー収容部１２０及び動力伝達部である接続部２０４を合わせた長さである。現像剤カートリッジ３００の長手方向の全体の長さとは、現像剤収容部４００及び動力伝達部４０５を合わせた長さである。
【００３２】
しかしながら、第一の実施形態で説明した画像形成装置１００によれば、動力伝達部４０５を分割することができるため、保管時や梱包時等、現像剤カートリッジ３００を小型化することができる。
【００３３】
（第二の実施形態）
第二の実施形態の現像剤カートリッジは、折り畳み可能な動力伝達部を有する。動力伝達部は、折り畳み可能であるため、現像剤カートリッジの長さを調整することができる。第一の実施形態と同一構成部分には同一符号を付す。
【００３４】
図６は、現像剤カートリッジ３００の折り曲げ可能な動力伝達部４０５を示す図であり、図７は、折り畳まれた動力伝達部４０５を示す図である。
【００３５】
動力伝達部４０５は、第１の動力伝達部６００、第２の動力伝達部６０１、接続部６０２、及び折り畳み部６０３、６０４を有する。
【００３６】
第１の動力伝達部６００及び第２の動力伝達部６０１は例えば、シャフトである。第１の動力伝達部６００及び第２の動力伝達部６０１は、折り畳み部６０３、６０４それぞれで接続されており、折り畳みが可能である。折り畳み部６０３、６０４は、例えばヒンジやピンである。第１の動力伝達部６００と第２の動力伝達部の接続はヒンジやピンに限らず、他の方法で折り畳むようにしても良い。
【００３７】
ユーザあるいは、サービスマンは、現像剤カートリッジ３００による現像器１０８への現像剤の供給時、第１の動力伝達部６００と第２の動力伝達部６０１を延ばした状態、すなわち図６に示す状態で画像形成装置１００に取り付ける。現像器１０８への現像剤の供給時とは、例えば出荷時、初期設定時及びメンテナンス時等である。保管時や梱包時等は、現像剤カートリッジ３００は、動力伝達部４０５を折り畳まれた状態で保管される。
【００３８】
接続部６０２は、図２に示すようなギアであっても良いし、図６及び図７に示すようなカップリングであっても良い。接続部６０２は、モータ２０５に接続し、モータ２０５により回転する。ここでは、動力伝達部４０５を第１の動力伝達部６００と第２の動力伝達部６０１の２つに分割して折り畳む説明をしたが、折り畳むのは２つに限らない。例えば、動力伝達部４０５を３つに分割して折り畳むようにしても良い。
【００３９】
第二の実施形態で説明した画像形成装置１００によれば、動力伝達部４０５を折り畳むことができるため、保管時や梱包時等、現像剤カートリッジ３００を小型化することができる。
【００４０】
（第三の実施形態）
第三の実施形態の現像剤カートリッジは、伸縮可能な動力伝達部を有する。動力伝達部は、伸縮可能であるため、現像剤カートリッジの長さを調整することができる。第一の実施形態と同一構成部分には同一符号を付す。
【００４１】
図８は、現像剤カートリッジ３００の伸縮可能な動力伝達部４０５で伸びた状態を示す図であり、図９は、動力伝達部４０５を縮めた状態を示す図である。
【００４２】
動力伝達部４０５は、第１の動力伝達部７００、第２の動力伝達部７０１、及び接続部７０２を有する。
【００４３】
第１の動力伝達部７００及び第２の動力伝達部７０１は例えば、シャフトである。第１の動力伝達部７００及び第２の動力伝達部７０１は、互いの半径を異ならせて、一方が他方に収納可能であり、ロッドアンテナのように伸縮自在である。ユーザあるいは、サービスマンは、現像剤カートリッジ３００による現像器１０８への現像剤の供給時、第１の動力伝達部７００と第２の動力伝達部７０１を伸ばした状態、すなわち図８に示す状態で画像形成装置１００に取り付ける。現像器１０８への現像剤の供給時とは、例えば出荷時、初期設定時及びメンテナンス時等である。保管時や梱包時等は、現像剤カートリッジ３００は動力伝達部４０５縮められた状態で保管される。
【００４４】
接続部６０２は、図２に示すようなギアであっても良いし、図８及び図９に示すようなカップリングであっても良い。接続部７０２は、モータ２０５に接続し、モータ２０５により回転する。ここでは、動力伝達部４０５を第１の動力伝達部７００と第２の動力伝達部７０１の２つに分割し、伸縮する説明をしたが、動力伝達部４０５を分割するのは２つに限らない。例えば、動力伝達部４０５を３つに分割して、伸縮するようにしても良い。
【００４５】
第三の実施形態で説明した画像形成装置１００によれば、動力伝達部４０５を伸縮することができるため、保管時や梱包時等、現像剤カートリッジ３００を小型化することができる。
【００４６】
いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々省略、置き換え、変更を行うことができる。これらの実施形態やその変形は、発明の範囲は要旨に含まれるとともに、特許請求の範囲に記載された発明とその均等の範囲に含まれる。
【符号の説明】
【００４７】
１０  制御部
１００  画像形成装置
１０１  スキャナ部
１０２  画像形成部
１０３  給紙カセット（給紙部）
１０４  排紙部
１０５Ｙ、Ｍ、Ｃ、Ｋ  画像形成ステーション
１０６  トナーカートリッジ
１０７  トナー搬送路
１０８  現像器
１０９  感光体ドラム
２０２、４０４  オーガ（搬送部）
２０３、４０５  動力伝達部
２０５  モータ
３００  現像剤カートリッジ
４００  現像剤収容部
４０１  現像剤搬送路
５０２、６０２、７０２  接続部
【図１】
2012220948.tif 000003
【図２】
2012220948.tif 000004
【図３】
2012220948.tif 000005
【図４】
2012220948.tif 000006
【図５】
2012220948.tif 000007
【図６】
2012220948.tif 000008
【図７】
2012220948.tif 000009
【図８】
2012220948.tif 000010
【図９】
2012220948.tif 000011